(57)【要約】【課題】まつ毛エクステの毛を整列して分離可能に形成されるまつ毛エクステのセット固定用単位シート紙を提供する。【解決手段】長方形状の原紙に接着、固定された離型紙と、上記離型紙上に横、縦方向の等間隔に横、縦数字表記部が形成され、上記横、縦数字表記部の間に等間隔に配列され、分離可能に形成されたセット紙と、上記セット紙上に限定された数で整列され、分離可能に形成されたまつ毛エクステの毛とで構成される。【選択図】図２
2010209503.tif 000002
【特許請求の範囲】
【請求項１】
一定の本数のまつ毛エクステの毛を整列させて、分離可能に形成したまつ毛エクステセット固定用単位シート紙であって、
長方形状の原紙に接着、固定された離型紙と、
上記離型紙上の横方向の等間隔に形成された横数字表記部、および上記離型紙上の縦方向の等間隔に形成された縦数字表記部の少なくとも一方に対応して等間隔に配列され、上記離型紙に対して分離可能に形成されたセット紙と、
上記セット紙上に整列され、上記セット紙から分離可能に形成された予め定められた数のまつ毛エクステの毛と
を備えることを特徴とするまつ毛エクステのセット固定用単位シート紙。
【請求項２】
上記横数字表記部は横方向に横数字が等間隔に印刷され、上記縦数字表記部は縦方向に縦数字が等間隔に印刷されることを特徴とする請求項１に記載のまつ毛エクステのセット固定用単位シート紙。
【請求項３】
上記セット紙は、上記横数字表記部、および上記縦数字表記部の少なくとも一方を基準に等間隔に形成された切断線および切断点線によって上記離型紙から分離可能であり、また分割されて分離可能になることを特徴とする請求項１または２に記載のまつ毛エクステのセット固定用単位シート紙。
【請求項４】
上記セット紙のまつ毛エクステの毛は、上記横数字表記部に等間隔に表記された横数字の数だけ整列されてセットされ、上記横数字表記部に対応する切断点線によって上記セット紙を分割して分離できることを特徴とする請求項１から３の何れか１項に記載のまつ毛エクステのセット固定用単位シート紙。
【発明の詳細な説明】
【技術分野】
【０００１】
本発明は、単位シート紙のセット紙に、まつ毛エクステが整列された状態でエクステの毛を分離可能にしたまつ毛エクステのセット固定用単位シート紙に関する。さらに詳しくは、予め定められた本数のまつ毛エクステの毛がセット紙に整列されて、セット紙から分離可能に形成され、また横、縦数字表記部が形成された単位表記紙から上記セット紙が分離可能に形成することによって、セット紙に整列されたまつ毛エクステの毛をセット紙から使用したい数量だけを分離できると同時に、単位表記紙から所望のセット紙を分離することができ、また使用後の残ったまつ毛エクステの毛の数を容易に把握できるまつ毛エクステのセット固定用単位シート紙に関するものである。
【背景技術】
【０００２】
一般に、付けまつ毛は、女性の美容のために広く使用される美容資材である。例えば、女性が新婦化粧をする場合、または俳優や歌手などが舞台公演をする時に、目元を目立たせるために付けまつ毛を人為的に付ける。
【０００３】
付けまつ毛は目元に付着できる球面形状の付着テープを備え、また上記付着テープに付けまつ毛の毛の基礎部が固定されるようにし、まつ毛の形状をなす。
【０００４】
このような付けまつ毛は、まつ毛の目元部位に付着テープを付けている。上記付けまつ毛は付着テープに提供された接着剤によって目元につくようになる。
【０００５】
しかし、付けまつ毛の付着テープの全長に接着剤が接着され、使用者の目元に沿って上記接着剤が全体的に塗られるため、付着テープや接着剤による不自然で人為的な感じが残る。また、付けまつ毛が付着テープの接着剤によって目元に付けられるため、まばたきをしているうちに、目元に付着された付着テープの接着力が次第に消失されていくにつれて、付けまつ毛が落ちていく短所がある。
【０００６】
上記短所を解決するために、まつ毛の毛の毛根付近に人工のまつ毛を一本一本植えるか、またはまつ毛の毛の一部分に人工まつ毛を付け、長さを伸ばす方法がある。このような施術方法に使われる人工まつ毛のことをまつ毛エクステという。このような方法を用いると、装着後のまつ毛が長く、濃く茂って見えるようになると同時に本人の目の形に自然に馴染む。
【０００７】
従って、このような方法に使用されるまつ毛エクステは、まつ毛の目元に付着テープで付着する付けまつ毛より寿命が格段に長く、自然らしさをそのまま保持することができる。
【０００８】
しかし、まつ毛エクステの毛は太さ０．１０ｍｍ及び０．１５ｍｍ、長さ６〜１５ｍｍに製作され、まつ毛エクステの毛の太さ及び長さに応じてビニルパックに入れ、流通されるバルクタイプのまつ毛があるが、これはまつ毛エクステの毛がビニルパック内で乱れているので、まつ毛エクステの毛の基礎部を確認しながら、ピンセットで把持しなければならないため、ピンセットでまつ毛エクステの毛の把持が容易ではない。また、これは、まつ毛エクステを付ける時間が長くかかってしまう要因となる。
【０００９】
これに対し、特許文献１には、まつ毛を付けて伸ばすことができるまつ毛エクステの毛をセット化が開示されている。上記特許文献１には、延長型のまつ毛セットの製造方法及びこれにより製造される延長型のまつ毛セットが記載されている。
【００１０】
上面に接着力のある接着剤部１５を有する長方形状の支持部１０と、上記支持部１０の接着剤部１５に、延長型のまつ毛２０の基礎部が接着されるようにした後、多数の延長型のまつ毛２０の基礎部の上面にだけ接着剤３０が塗布される。
【００１１】
上述のように、延長型のまつ毛２０が支持部１０に整列されたセットで製作されるため、支持部１０から簡単に延長型のまつ毛２０の毛を分離し、使用者のまつ毛を伸ばして施すことができる。上記例は延長型のまつ毛２０の毛の終端が２つに分離され、一回に、少なくとも２個の付けまつ毛を付けることができる効果もある。
【００１２】
しかし、延長型のまつ毛２０の毛が長方形状の支持部１０上に形成した接着剤部１５が１ライン１セットで製作されるため、両側の目元に約１００〜１２０個の毛が必要な状況を考慮する時、多数の支持部１０が必要とされることから、生産コストが上昇する問題がある。
【００１３】
また、所望の必要数量を求めようとする場合、支持部１０に延長型のまつ毛２０の毛の本数を一本一本数えなければならない不都合があった。また、延長型のまつ毛２０の毛を付けながら、どのくらい使用したのかなどの本数の把握が難しいことから、結局は、使用者の両側の目元の延長型のまつ毛２０のバランスが取れないなどの問題があった。
【先行技術文献】
【特許文献】
【００１４】
【特許文献１】大韓民国特許第１０−７４７５０３号
【発明の概要】
【発明が解決しようとする課題】
【００１５】
本発明は、上記の問題を解決するためものであり、原紙の離型紙から分離される単位表記紙に、多数のセット紙が切断線と切断点線とに分離可能にし、また上記セット紙に付けまつ毛の毛の基礎部が分離可能に形成し、セット紙を分割して分離できるようにすることを目的とする。
【００１６】
また、本発明は、原紙の離型紙から分離される単位表記紙のフレーム面に、一連の数字を表記しうる横、縦数字表記部を形成し、セット紙に分離可能なまつ毛エクステの毛の横、縦方向に、本数を容易に把握できるようにすることを目的とする。
【課題を解決するための手段】
【００１７】
本発明は、まつ毛エクステの毛を整列して分離可能に形成される付けまつ毛のセット固定用単位シート紙であって、長方形状の原紙に接着、固定された離型紙と、上記離型紙上に横、縦方向の等間隔に横、縦数字表記部が形成され、上記横、縦数字表記部の間に等間隔に配列され、分離可能に形成されたセット紙と、上記セット紙上に限定された数で整列され、分離可能に形成されたまつ毛エクステの毛と、からなることを基本特徴とする。
【００１８】
また、上記単位表記紙の横、縦数字表記部は、横方向に横数字が等間隔に印刷され、縦方向に縦数字が等間隔に印刷されている。
【００１９】
さらに、上記セット紙は、上記横、縦数字表記部を基準に等間隔に形成された切断線と切断点線によって離型紙から分離可能であり、また分割されて分離可能になっている。
【００２０】
また、上記セット紙のまつ毛エクステの毛は、上記横数字表記部に等間隔に表記した横数字の数だけ整列セットされ、横数字表記部の切断点線によって上記セット紙を分割して分離できるようになっている。
【発明の効果】
【００２１】
以上のように、本発明は、予め定められた本数のまつ毛エクステの毛がセット紙に整列されて、セット紙から分離可能に形成され、また横、縦数字表記部が形成された単位表記紙から上記セット紙が分離可能に形成することによって、セット紙に整列されたまつ毛エクステの毛をセット紙から所望の数量だけを分離することができると同時に、単位表記紙から所望のセット紙を分離することができ、また使用後の残ったまつ毛エクステの毛の数を容易に把握することができる。
【００２２】
また、本発明は、まつ毛がセット紙に整列され、ピンセットで把持しやすく、まつ毛を付ける時間を短縮することができ、人件費や装着費用を節減する効果がある。
【図面の簡単な説明】
【００２３】
【図１】本実施形態のまつ毛エクステのセット固定用単位シート紙の分離斜視図である。
【図２】本実施形態のまつ毛エクステのセット固定用単位シート紙にまつ毛エクステの毛が接着された結合斜視図である。
【図３】本実施形態のまつ毛エクステのセット固定用単位シート紙にまつ毛エクステの毛が結合された正面図である。
【図４】本実施形態のまつ毛エクステのセット固定用単位シート紙の終端面とその一部切欠拡大図である。
【図５】本実施形態のまつ毛エクステのセット固定用単位シート紙の横断面図とその一部切欠拡大図である。
【図６】本実施形態のまつ毛エクステのセット固定用単位シート紙からセット紙をピンセットで分離する例の斜視図である。
【図７】本実施形態のまつ毛エクステのセット固定用単位シート紙からセット紙をピンセットで分離する例の斜視図である。
【図８】本実施形態のまつ毛エクステのセット固定用単位シート紙からシート紙を分離して手の甲に付着した状態の斜視図である。
【発明を実施するための形態】
【００２４】
以下で、本発明の実施形態の具体的な例を、添付図面を参照して詳細に説明する。
【００２５】
図１は、本実施形態のまつ毛エクステのセット固定用単位シート紙の分離斜視図、図２は本実施形態のまつ毛エクステのセット固定用単位シート紙に、まつ毛エクステの毛が接着された結合斜視図、図３は本実施形態のまつ毛エクステのセット固定用単位シート紙にまつ毛エクステの毛が結合された正面図、図４は本実施形態のまつ毛エクステのセット固定用単位シート紙の終端面とその一部切欠拡大図、図５は本実施形態のまつ毛エクステのセット固定用単位シート紙の横断面図とその一部切欠拡大図、図６及び図７は本実施形態のまつ毛エクステのセット固定用単位シート紙からセット紙をピンセットで分離する例の斜視図、及び図８は本実施形態のまつ毛エクステのセット固定用単位シート紙からセット紙を分離し、手の甲に付着した状態の斜視図である。
【００２６】
図１に示されるように、本実施形態のまつ毛エクステのセット固定用単位シート紙１０は、長方形状の原紙２０と、上記原紙２０上に接着、固定される離型紙３０と、上記離型紙３０上に分離可能な単位表記紙１００と、で構成される。
【００２７】
上記離型紙３０の底面は、原紙２０と接着剤とで接着され、離型紙３０と原紙２０とが一体的に接着される。また、離型紙３０の上面は離型面（未図示）で形成されている。上記離型面には、上記単位表記紙１００の底面に塗布された接着面（未図示）と接着され、また、単位表記紙１００が分離できるようにする。
【００２８】
また、上記単位表記紙１００は、横、縦方向の等間隔に横、縦数字表記部１１０、１２０が形成され、上記横、縦数字表記部１１０、１２０間に等間隔に配列されている。
【００２９】
図２及び図３に示されるように、上記単位表記紙１００の横、縦数字表記部１１０、１２０は、横方向に１０、２０、３０、４０及び５０の横数字１１１が等間隔に印刷され、縦方向に１、５、１０、１５、２０及び矢印などの縦数字１２１が等間隔に印刷されている。
【００３０】
細長く、幅狭いセット紙２００が、上記横、縦数字表記部１１０、１２０の少なくとも一方に対応して等間隔に配列されていると同時に、単位表記紙１００から分離可能になっている。さらに具体的には、横長く、幅狭いセット紙２００は、縦数字１２１の各々に対応して等間隔に、かつ互いに平行となるように配列されている。このとき、さらに、セット紙２００が、横数字１１１の各々に対応して等間隔に、かつ互いに平行となるようにそれぞれが分離されていてもよい。
【００３１】
セット紙２００は、横長く、幅狭いセット紙２００が四方の切断線１３０によって分離可能であり、後記する図６のように、単位表記紙１００からセット紙２００の一部を分割して分離することができる。
【００３２】
また、上記セット紙２００上には、上記セット紙２００から分離可能な、予め定められた数の整列されたまつ毛エクステ３００の毛３１０が接着される。
【００３３】
図３及び図５に示されるように、上記セット紙２００のまつ毛エクステ３００の毛３１０は、上記横数字表記部１１０に等間隔に表記した横数字１１１の数だけ整列されセットされ、横数字表記部１１０の切断点線１４０によって上記セット紙２００を分割し、分離することができる。
【００３４】
即ち、図２及び図３のように、セット紙２００にまつ毛エクステ３００の毛３１０が１０個ずつ等分され、５０個の毛３１０が整列されている。また上記まつ毛エクステ３００の毛３１０が接着されたセット紙２００が単位表記紙１００の縦方向に８個が形成されている。上記例で、単位表記紙１００の縦数字表記部１２０の縦数字１２１は、上記まつ毛エクステ３００の毛３１０の長さに応じて、単位表記紙１００にセットできるセット紙２００の個数を設定変更して印刷可能である。
【００３５】
図４及び図５に示されるように、セット紙２００にまつ毛エクステ３００の毛３１０の基礎部が接着剤２１０によって接着されており、図６及び図７のように、ピンセット１で単位表記紙１００からセット紙２００を分離することができる。上記接着剤は、特に制限されないが、まつ毛エクステ３００の毛３１０の基礎部がセット紙２００に接着され、ピンセット１で分離し、使用者の目元に付けることができる接着剤であればよい。
【００３６】
また、単位表記紙１００に等間隔に配列されたセット紙２００でまつ毛エクステ３００の毛３１０の基礎部が接着されたセット紙２００にだけ接着剤が塗布される。
【００３７】
図８は、上記単位表記紙１００からセット紙２００を分離した後、使用者の手の甲２に付着した状態で、ピンセット１を利用して使用者の目元にまつ毛エクステ３００の毛３１０を付けることを示している。
【００３８】
図７に示されるように、単位表記紙１００からセット紙２００をピンセット１で分離することができる。例えば、１０個のまつ毛エクステ３００の毛３１０が必要な場合、図６のように、セット紙２００を単位表記紙１００から分離できるようにしながら、切断点線１４０で分割され、分離されることによって、付けようとするまつ毛エクステ３００の毛３１０だけを分離することができる。
【００３９】
また、本実施形態は、単位表記紙１００の横、縦数字表記部１１０、１２０によって単位表記紙１００からセット紙２００を分離し、使用後の残ったまつ毛エクステの毛の数を容易に把握することができる。
【符号の説明】
【００４０】
１０  単位シート紙
２０  原紙
３０  離型紙
１００  単位表記紙
１１０  横数字表記部
１２０  縦数字表記部
１１１  横数字
１２１  縦数字
１３０  切断線
１４０  切断点線
２００  セット紙
２１０  接着剤
３００  まつ毛エクステ
３１０（まつ毛エクステの）毛
【図１】
2010209503.tif 000003
【図２】
2010209503.tif 000004
【図３】
2010209503.tif 000005
【図４】
2010209503.tif 000006
【図５】
2010209503.tif 000007
【図６】
2010209503.tif 000008
【図７】
2010209503.tif 000009
【図８】
2010209503.tif 000010